(57)【要約】  【課題】単なる直方体のスポンジでは、最初使用開始時においては、使いにくく、糊が平坦なスポンジ面に付着し、糊がどんどん溜まってくるので、拭き取りがすぐにできにくくなり頻繁にスポンジを洗浄する必要などがあった。また、スポンジ表面にスリットを多数設けた場合においては、スリットで小さなブロックに別れたスポンジがちぎれてしまったり、スリットの底部からさらにスポンジが避けてしまったりして繰り返し使用することができないという課題を有していた。  【解決手段】直方体の内装施工用スポンジであって、１対の対向する拭き取り面のぞれぞれに少なくとも２つのスリットを設け、上記スリットが開放されたスポンジの１対の対向する面それぞれにおいて、上記スリットが設けられた方向とは直交する方向に第２スリットを設けた内装施工用スポンジを提供する。【選択図】    図１
2014045916.tif 000002
【特許請求の範囲】
【請求項１】
直方体の内装施工用スポンジであって、
１対の対向する拭き取り面のぞれぞれに少なくとも２つのスリットを設け、
上記スリットが開放されたスポンジの１対の対向する面それぞれにおいて、上記スリットが設けられた方向とは直交する方向に第２スリットを設けたことを特徴とする内装施工用スポンジ。
【請求項２】
上記スリットは、スポンジの拭き取り面に対して直交する角度、又はスリットがスポンジの内部になるにつれスポンジの端部側に位置する角度、又はスリットがスポンジの内部になるにつれスポンジの中心側に位置する角度とされていることを特徴とする請求項１記載の内装施工用スポンジ。
【請求項３】
拭き取り面に配置された上記スリットの深さの少なくとも１つが他のスリットの深さと異なっていることを特徴とする請求項１又は請求項２記載の内装施工用スポンジ。
【請求項４】
１対の拭き取り面の１方の拭き取り面を内装用研磨紙で覆うようにスポンジに巻き付けて第２スリットにそれぞれ内装用研磨紙の端部を嵌装して内装用研磨紙を設置可能とされていることを特徴とする請求項１から請求項３のいずれかに記載の内装施工用スポンジ。
【発明の詳細な説明】
【技術分野】
【０００１】
本発明は、壁紙施工の際に使用するスポンジに関するものである。特に、壁紙施工の際に壁紙の表面に残った糊を拭き取ったり、狭い場所や平面でなく曲面状になった壁下地におけるサンダーがけに使用できる内装施工用スポンジに関する。
【背景技術】
【０００２】
壁紙施工などの内装施工を行う際においては、ジョイント部分の壁紙表面や、天井と壁の境の壁紙表面、廻り縁、幅木などには壁紙の裏面に塗布していた糊が貼り付け施工中に付着してしまう。糊が付着したまま放置してしまうと、しみや変色の原因となるため、壁紙施工作業者は水を含ませたスポンジを腰袋に入れ、壁紙表面や廻り縁、幅木などに付着した糊を拭き取りながら施工をし、施工が完了した際にも、拭き残りの糊が残っていないかどうかを注意して確認し、拭き残りがあればスポンジや雑巾などで丁寧に拭き取りしている。そしてまた、糊の拭き取り作業に使用したスポンジ、雑巾を頻繁に洗浄して、糊の拭き取り性を維持しながら作業している。
【０００３】
内装施工業界においては、所定の寸法の直方体のスポンジや、長尺のスポンジがカタログ販売されており、長尺のスポンジであれば施工作業者が任意の長さに切断して使用している。
【０００４】
そしてまた、内装施工用ではないが、洗浄用スポンジが種々提案され知られてもいる。例えば、軟質スポンジよりなるボディスポンジであって、人肌に接する少なくとも一部面に左右及び／又は縦横に所定の間隔と深さをもって多数のスリットを刻設したことを特徴とするものが知られている。（特許文献１）また、食器洗浄用、風呂場やトイレの洗浄用、洗車用、入浴用等の用途に広く使用されているナイロンタワシ、合成樹脂を発砲させたスポンジタワシやその片面積層のポリウレタン材等の表面及び研磨加工を施した部分を程よく細かく仕切り、手頃な深さに型抜き及び切り込みや切り目形成したことを特徴とするものも知られている。（特許文献２）
【０００５】
さらに、所定の厚みと幅を有するスポンジ体からなるクリーナーであって、前記スポンジ体はその厚み方向の略中央に外面から内部に向かって幅方向の切れ目が形成されていることを特徴とするもの（特許文献３）や、ブロック状のスポンジ体と、前記スポンジ体の互いに対向する一対の側面に形成され前記スポンジ体の中心へ向かう切込部が設けられていることを特徴とする洗浄用スポンジ（特許文献４）なども知られている。
【先行技術文献】
【特許文献】
【０００６】
【特許文献１】特開２０００−１４５９１号公報
【特許文献２】特開２００５−１９９００１号公報
【特許文献３】実用新案登録第３０８８４６９号公報
【特許文献４】特開２００７−７２６８号公報
【発明の開示】
【発明が解決しようとする課題】
【０００７】
単なる直方体のスポンジでは、最初使用開始時においては、手に馴染んでいないため使いにくいという課題がある。また平坦なスポンジ面で付着した糊を拭き取ろうとしても、糊が平坦なスポンジ面に付着し、糊がどんどん溜まってくるので、拭き取りがすぐにできにくくなってくるため、拭き取りする際にスポンジを擦りつける回数も多くなり、また頻繁にスポンジを洗浄してスポンジ表面に付着した糊を除去するなどの手間がかかっており改善が望まれていた。スポンジを洗浄するには、脚立等から一度下りて洗浄用バケツで洗浄するため、脚立の上り下りが増えて施工作業者に負担がかかることとなっていた。
【０００８】
また、特許文献１や特許文献２のようにスポンジ表面にスリットを多数設けた場合においては、壁紙施工用に使用する糊は粘度が高く、糊を拭き取るためには特に洗剤などは使用せずに、スポンジに水を含ませただけで拭き取るために、スポンジには摩擦による力がかかって変形することとなり、スリットで小さなブロックに別れたスポンジがちぎれてしまったり、スリットの底部からさらにスポンジが避けてしまったりして繰り返し使用することができず、耐久性のないものが多かった。
【課題を解決するための手段】
【０００９】
上記課題を解決するために本発明の請求項１は、直方体の内装施工用スポンジであって、１対の対向する拭き取り面のぞれぞれに少なくとも２つのスリットを設け、上記スリットが開放されたスポンジの１対の対向する面それぞれにおいて、上記スリットが設けられた方向とは直交する方向に第２スリットを設けたことを特徴とする。
【００１０】
本発明の請求項２は、上記スリットは、スポンジの拭き取り面に対して直交する角度、又はスリットがスポンジの内部になるにつれスポンジの端部側に位置する角度、又はスリットがスポンジの内部になるにつれスポンジの中心側に位置する角度とされていることを特徴とする。
【００１１】
本発明の請求項３は、拭き取り面に配置された上記スリットの深さの少なくとも１つが他のスリットの深さと異なっていることを特徴とする。
【００１２】
本発明の請求項４は、１対の拭き取り面の１方の拭き取り面を内装用研磨紙で覆うようにスポンジに巻き付けて第２スリットにそれぞれ内装用研磨紙の端部を嵌装して内装用研磨紙を設置可能とされていることを特徴とする。
【発明の効果】
【００１３】
本発明の内装施工用スポンジには拭き取り面に少なくとも２つのスリットを設けているので、拭き取り面で糊が付いた部分を拭き取ることによって、スリット部分が変形し、スリット内に糊が入るように、そしてスリットを構成するスポンジの角部分によって掻き取るように拭き取りされるので、効率的に糊の除去を行うことができる。
【００１４】
そして第２スリットには、内装用研磨紙をセットできるようにしているので、曲面や通常のサンダー掛けの工具が入らないような狭い個所にもスポンジを変形させてサンダー掛けする部分に沿わせて研磨作業ができる。
【図面の簡単な説明】
【００１５】
【図１】本発明の内装施工用スポンジを説明する図で、（ａ）正面から見た状態の図、（ｂ）側面から見た状態の図、（ｃ）平面から見た状態の図である。
【図２】内装施工用スポンジで糊を拭き取りする状態を説明する図である。
【図３】内装施工用スポンジに拭き取り用シートを巻き付けた状態を説明する図である。
【図４】角度を付けたスリットを設けた状態を説明する図である。
【図５】拭き取り面に２つ設けたスリットの深さを変えた状態を説明する図である。
【図６】第２スリットに内装用研磨紙を設置することを説明する図である。
【発明を実施するための最良の形態】
【００１６】
本発明の実施の形態の１例を図１に示す。図１（ａ）は本発明の内装施工用スポンジを正面から見た状態で、図１（ｂ）は側面から見た状態、そして図１（ｃ）は平面から見た状態を示している。
【００１７】
図１に示すように、スポンジ１には、その拭き取り面１ａ，１ｂにそれぞれ２本のスリット２を設けている。そして、スリット２の両端は、スポンジ１のそれぞれの面で開放されており、スリット２が開放された対向する面には、スリット２に直交する方向に、それぞれ第２スリット３が設けられている。
【００１８】
本発明の具体的な寸法の一例を説明すると、スポンジ１は縦８０ｍｍ横８０ｍｍ長さ１２０ｍｍの直方体で、スリット２は拭き取り面１ａ，１ｂの中央からそれぞれ２０ｍｍの位置にスリット２を設けている。このスリット２の幅は１〜３ｍｍ程度で深さが１５ｍｍ程度である。またスポンジについては硬度１０±３Ｋｇｆ、密度１８±２Ｋｇ／ｍ３程度のスポンジが好ましい。上記寸法、数値は一例であり、本発明を限定する数値ではない。また、直方体の角の一部や全ての角を平面や曲率のついた丸まった面状に面取りした形状としてもかまわない。
【００１９】
スリット２とスポンジ１の端部との距離が近いと拭き取り作業中にスリット２からさらにスポンジ１が割れてしまったりするためにスリット２とスポンジ１の端部との距離は１０ｍｍ以上にすることが望ましい。例えば１５ｍｍや１７ｍｍという寸法にしておくと繰り返しの使用でも割れが発生しにくく耐久性があった。
【００２０】
拭き取り面１面に対してスリット２を設けているために、手に持ったときにもスリット２の部分が変形しやすく手に馴染みやすい。そして、繰り返し使用してもスリット２からさらに裂けたりすることがなく耐久性も良い。
【００２１】
そして、拭き取り面１ａ，１ｂにスリット２を２個所設けたことによって、廻り縁に付着した幅９０ｃｍ程度の壁紙の施工後の糊の除去作業は、スリット２を設けていないスポンジが１．５〜２往復かかっていたのに対し、スリット２を２個所設けた場合においては、０．５〜１往復と、すなわちスリット２が無い場合は、左右に３回から４回スポンジを移動させて廻り縁に付着した糊の除去ができたのに対し、スリット２を２個所設けた本発明においては、１回から２回の移動で糊を除去することができたのである。
【００２２】
これは、図２（図２においては第２スリット３は省略している）に示すように例えば廻り縁にスポンジ１を当て右から左側へスポンジ１を移動させた状態の変形状態を示したものであるが、スリット２が無いスポンジに比べて、スリット２を設けたスポンジ１は、そのスリット２の部分が左側のスリット２では少し開いた状態となり、右側のスリット２では、スリット２の右側のスポンジ部分が右方向へ変形し、スリット２の部分も左側のスリット２よりも大きく開いた状態となって廻り縁に擦り付けられることとなっており、２つのスリット２の右側のスポンジの角が廻り縁に当接した状態でスポンジ１を左から右に移動させるので、このスリット２の中へも拭き取られた糊が入っていくこととなり、拭き取り面１ａの表面に多くの糊が付着した状態とならずに拭き取りすることができているために、スリット２を設けないスポンジよりも効率的に糊の拭き取りができることとなっているのである。
【００２３】
そしてさらに、スリット２内へ糊が入り込むことで、スポンジ１の拭き取り面１ａの表面に残る糊が少なくなるので、スポンジ１を洗浄するまでの使用回数も増やすことができる。例えば、先ほどの９０ｃｍ程度の廻り縁の例であると、スリット２を設けないスポンジであれば、拭き取り３〜４回でスポンジの洗浄が必要となっていたが、本発明のスポンジ１であれば、拭き取り５〜６回程度拭き取りしてからの洗浄で良くなった。この回数を増やすことができることは、脚立への上り下りの回数を減らすことにもつながるので作業者には非常に喜ばれる効率アップである。
【００２４】
また、図３に示すように、本発明のスポンジ１の周囲に、拭き取りシート１０（布や化繊シートなど）を巻いて使用することもできる。
壁紙の施工直後においては、糊が結構ついた状態であるので水を含ませた本発明のスポンジ１のみで糊を拭き取りする。しかし、所々にはまだ糊が薄く広がった状態で残っているところもあるので、そういう部分においては、図３のように拭き取りシート１０をスポンジ１に巻き付け、スリット２にそれぞれ拭き取りシート１０を角ヘラなどで押し込み、拭き取りシート１０を巻き付けた状態でもスリットがある状態として、薄く残った糊を完全に拭き取るようにすると良い。
【００２５】
スポンジ１だけでは糊がスポンジ１に付着してくると、どうしても薄く塗り拡げたような状態となる部分が発生するので、壁紙施工においては、水に濡らした雑巾などで完全に拭き上げるという作業も行っている。スリット２に拭き取りシート１０を押し込みながらスポンジ１に拭き取りシート１０を巻き付けることで、拭き取りシート１０に糊が付着してくると簡単に拭き取りシート１０を交換して拭き上げ作業を継続することができるので図３のように巻き付けて使用することも効果的である。
【００２６】
図４に示すように、スリット２は角度を持たせて斜めのスリットとしても良い。図４（ａ）に示した実施形態は、スリット２をスポンジ１の内部に入るほど、スポンジの端部側となるような角度とした場合であり、図４（ｂ）においてはスリット２をスポンジ１の内部に入るほど、スポンジの中心側となるような角度とした場合を図示したものである。スリット２の角度θを小さくするとやはりスポンジ１の避けが見られるため、耐久性と拭き取り性の面からスリット２の角度θは４５〜６０°が好ましい。拭き取り面に角度を付けた状態でスリット２を設けると、２つのスリット２のうちの片方は進行方向に対して鋭角な状態となっているので、糊を拭き取る際に反発も大きくなり、またスリット２の進行方向下流側のスポンジの角での拭き取り効果もアップされることとなる。実際にはスポンジ１は作業者によって左右に移動されることとなるので、いずれの移動に対しても片側のスリット２において拭き取り効果がアップされた状態で拭き取り作業をすることとなるので効果的となるのである。
【００２７】
また、さらに図５に示すように、拭き取り面１ａ，１ｂに設ける２つのスリットの深さを変えた構成としても良い。これは図４に開示した角度θを付けた状態のスリットに適用してもかまわない。深さの深いスリット２ａとスリット２ｂとすることで、先に説明した拭き取りシート１０を設ける場合の拭き取りシートの挟み込みを深さの深いスリット２ａでしっかりと行って、拭き取りシートの保持を確実に行うことができるようにし、また、深いスリット２ａ側のスポンジ１の変形性を向上して、スリット２ａが拭き取り中に開くことによって拭き取った糊がスリット２ａの内部へより入りやすくもなり拭き取り性をアップさせることも可能となっている。図４と図５においては第２スリット３については図示を省略している。
【００２８】
次に第２スリット３について説明する。第２スリット３は、市販されている内装研磨紙を取り付けるためのスリットである。図６に内装用研磨紙１１を取り付けた状態を図示する。拭き取り面１ａ側はスポンジが見えた状態となっており、第２スリット３にそれぞれ内装用研磨紙１１の端部が嵌装され、拭き取り面１ｂと面１ｃと面１ｄに設けられた第２スリット３から下方の面が内装用研磨紙１１で覆われた状態となっている。
【００２９】
内装用研磨紙１１は幅７５ｍｍ長さ２４０ｍｍ程度のものが一般的にサンダー掛け用として販売されており、またロールでの販売もされている。
面１ｃにおける第２スリット３の深さ寸法、第２スリット３から拭き取り面１ｂまでの面１ｃの寸法、拭き取り面１ｂの長さ寸法、第２スリット３から拭き取り面１ｂまでの面１ｄの寸法、面１ｄにおける第２スリット３の深さ寸法を加算した寸法が内装用研磨紙１１の長さと同じか、内装用研磨紙１１の長さよりも少し大きな寸法となっていれば良い。第２スリット３の深さは内装用研磨紙１１の端部を嵌装するために外れにくい寸法とすることが望ましく、１０〜２０ｍｍ程度にしておくことが望ましい。
【００３０】
図６においては、第２スリット３から拭き取り面１ｂまでの面１ｃの寸法と第２スリット３から拭き取り面１ｂまでの面１ｄの寸法を同じとした図で開示しているが、上記加算した寸法が内装用研磨紙１１の長さと同じか内装用研磨紙１１の長さよりも少し大きな寸法となっていればよいので、同じ寸法でなくて良い。
【００３１】
本発明のスポンジ１に上記のような構成で第２スリット３を設けて内装用研磨紙１１を設置できるようにしていることで、平面ではなく曲面となった部分、通常のサンダー掛け工具が入らないような部分においてスポンジ１を変形させながら、曲面に沿わせてサンダー掛けを行ったり、狭い個所におけるサンダー掛けを行ったりすることができる。スポンジ１を介してサンダー掛けを行うことによって、特定の個所だけサンダー掛けをしすぎるということが無く効率的にサンダー掛けができるのである。
【００３２】
以上拭き取り面１ａ，１ｂにはそれぞれ２つのスリット２を設けた実施形態を説明したが、より大きなスポンジ寸法とした場合においては、スリット２は２つ以上設置するようにしてもかまわない。
【符号の説明】
【００３３】
１  スポンジ
１ａ  拭き取り面
１ｂ  拭き取り面
２  スリット
３  第２スリット
１０  拭き取り用シート
１１  内装用研磨紙
【図１】
2014045916.tif 000003
【図２】
2014045916.tif 000004
【図３】
2014045916.tif 000005
【図４】
2014045916.tif 000006
【図５】
2014045916.tif 000007
【図６】
2014045916.tif 000008